(57)【特許請求の範囲】
【請求項１】
嵌合軸に沿ってレセプタクルにプラグが嵌合される同軸コネクタにおいて、
前記レセプタクルは、内部に嵌合孔が形成されると共に内周面が前記嵌合孔内に露出する環状のレセプタクル外部コンタクトと、レセプタクル中心コンタクト接触部が前記嵌合孔の内部で前記嵌合軸に対して垂直方向に露出するように配置されたレセプタクル中心コンタクトとを有し、
前記プラグは、前記レセプタクルの前記嵌合孔の内部に嵌合されて前記環状のレセプタクル外部コンタクトの前記内周面に接触するプラグ外部コンタクトと、前記嵌合軸に対して垂直方向に伸張すると共にプラグ中心コンタクト接触部が前記嵌合孔の内部で前記レセプタクル中心コンタクト接触部に接触するように配置された片持ち梁形状のプラグ中心コンタクトとを有し、
前記プラグ中心コンタクト接触部と前記レセプタクル中心コンタクト接触部との接触面は、前記プラグ中心コンタクトの伸張部分とほぼ同一面に形成され、
前記プラグ外部コンタクトは、前記プラグ中心コンタクトが伸張する方向を除いて前記嵌合軸の回りに形成されたプラグ外部コンタクト接触部を有することを特徴とする同軸コネクタ。
【請求項２】
前記レセプタクルは、前記環状のレセプタクル外部コンタクトの外周部を覆うと共に前記レセプタクル中心コンタクトを保持するレセプタクルインシュレータを有する請求項１に記載の同軸コネクタ。
【請求項３】
前記レセプタクル外部コンタクトと前記レセプタクルインシュレータと前記レセプタクル中心コンタクトは、一体成型により形成されている請求項２に記載の同軸コネクタ。
【請求項４】
前記環状のレセプタクル外部コンタクトの前記内周面に、前記プラグ外部コンタクトに接触し且つ前記プラグ外部コンタクトを係止するための環状のレセプタクル外部コンタクト接触部が形成されている請求項１〜３のいずれか一項に記載の同軸コネクタ。
【請求項５】
前記レセプタクル外部コンタクト接触部は、板厚のつぶし加工により形成されている請求項４に記載の同軸コネクタ。
【請求項６】
前記プラグ外部コンタクトは、前記プラグ中心コンタクトが伸張する方向を除いて前記嵌合軸の回りに円弧状に形成されたプラグ外部コンタクト接触部を有する請求項１〜５のいずれか一項に記載の同軸コネクタ。
【請求項７】
前記プラグを嵌合するための複数の前記レセプタクルが配列形成されたレセプタクル部材を備える請求項１〜６のいずれか一項に記載の同軸コネクタ。
【発明の詳細な説明】
【技術分野】
【０００１】
この発明は、同軸コネクタに係り、特に、同軸コネクタの低背化に関する。
【背景技術】
【０００２】
従来から、回路基板上に実装された端子に同軸ケーブルを直角等の所定の角度をなして接続するための、いわゆるアングル型の同軸コネクタは通信機器等において広く使用されている。このような同軸コネクタを用いれば、回路基板を内蔵する電子機器の肉薄化を図ることができる。
この種の同軸コネクタは、互いに嵌合するレセプタクルとプラグとから構成されているが、通常、レセプタクルが嵌合方向にピン状に突出する中心コンタクトを有すると共に、プラグが２枚の板バネ部を含む中心コンタクトを有し、プラグの中心コンタクトの板バネ部でレセプタクルのピン状の中心コンタクトを挟み込むことにより電気的接続を得る構造を有している。
【０００３】
ところが、このような中心コンタクトの接触構造では、プラグの中心コンタクトの板バネ部にレセプタクルの中心コンタクトとの間で信頼性の高い接続を行うに十分なバネ特性を具備させるために、このプラグの中心コンタクトの板バネ部に嵌合方向に沿った所定以上のバネ長を確保する必要がある。このため、嵌合方向における同軸コネクタの高さを小さくすることができなかった。
【０００４】
そこで、例えば特許文献１には、図１０に示されるように、レセプタクル１が嵌合方向に直交する平板形状のレセプタクル中心コンタクト２を有し、このレセプタクル中心コンタクト２にプラグ３のバネ状のプラグ中心コンタクト４を接触させるようにした同軸コネクタが開示されている。
【先行技術文献】
【特許文献】
【０００５】
【特許文献１】実開平６−５１５８号公報
【発明の概要】
【発明が解決しようとする課題】
【０００６】
しかしながら、プラグ中心コンタクト４が、平板形状のレセプタクル中心コンタクト２との接触部から嵌合方向へ引き回される形状を有しているので、嵌合方向における同軸コネクタの高さを大幅に縮小することは困難である。
また、特許文献１の同軸コネクタでは、プラグ外部コンタクト５が環状のレセプタクル外部コンタクト６の外周部に嵌合して接触するので、ぶれ等を生じることなくプラグ外部コンタクト５とレセプタクル外部コンタクト６とを確実に嵌合させるために、これらの間に所定以上の嵌合長を確保する必要があり、結果的に同軸コネクタの高さが大きくなってしまう。
さらに、非嵌合時に、レセプタクル外部コンタクト６がレセプタクル１の外周部に露出しているので、異物が付着しやすい、外力がレセプタクル外部コンタクト６に直接加わりやすい等の問題があり、同軸コネクタとして信頼性に欠けるおそれがあった。
【０００７】
この発明は、このような従来の問題点を解消するためになされたもので、低背化と信頼性の向上を図ることができる同軸コネクタを提供することを目的とする。
【課題を解決するための手段】
【０００８】
この発明に係る同軸コネクタは、嵌合軸に沿ってレセプタクルにプラグが嵌合される同軸コネクタにおいて、レセプタクルは、内部に嵌合孔が形成されると共に内周面が嵌合孔内に露出する環状のレセプタクル外部コンタクトと、レセプタクル中心コンタクト接触部が嵌合孔の内部で嵌合軸に対して垂直方向に露出するように配置されたレセプタクル中心コンタクトとを有し、プラグは、レセプタクルの嵌合孔の内部に嵌合されて環状のレセプタクル外部コンタクトの内周面に接触するプラグ外部コンタクトと、嵌合軸に対して垂直方向に延びると共にプラグ中心コンタクト接触部が嵌合孔の内部でレセプタクル中心コンタクト接触部に接触するように配置された片持ち梁形状のプラグ中心コンタクトとを有し、プラグ中心コンタクト接触部とレセプタクル中心コンタクト接触部との接触面は、プラグ中心コンタクトの伸張部分とほぼ同一面に形成され、プラグ外部コンタクトは、プラグ中心コンタクトが伸張する方向を除いて嵌合軸の回りに形成されたプラグ外部コンタクト接触部を有するものである。
【０００９】
レセプタクルは、環状のレセプタクル外部コンタクトの外周部を覆うと共にレセプタクル中心コンタクトを保持するレセプタクルインシュレータを有することが好ましい。レセプタクル外部コンタクトとレセプタクルインシュレータとレセプタクル中心コンタクトは、一体成型により形成することができる。
また、環状のレセプタクル外部コンタクトの内周面に、プラグ外部コンタクトに接触し且つプラグ外部コンタクトを係止するための環状のレセプタクル外部コンタクト接触部が形成されていることが好ましい。このレセプタクル外部コンタクト接触部は、板厚のつぶし加工により形成することができる。
プラグ外部コンタクトは、プラグ中心コンタクトが伸張する方向を除いて嵌合軸の回りに円弧状に形成されたプラグ外部コンタクト接触部を有することもできる。
さらに、プラグを嵌合するための複数のレセプタクルが配列形成されたレセプタクル部材を備えるように構成してもよい。
【発明の効果】
【００１０】
この発明によれば、環状のレセプタクル外部コンタクトの内周面が嵌合孔内に露出すると共にレセプタクル中心コンタクト接触部が嵌合孔の内部で嵌合軸に対して垂直方向に露出し、プラグ外部コンタクトが嵌合孔の内部に嵌合されて環状のレセプタクル外部コンタクトの内周面に接触すると共に片持ち梁形状のプラグ中心コンタクトが嵌合軸に対して垂直方向に伸張し、プラグ中心コンタクト接触部が嵌合孔の内部でレセプタクル中心コンタクト接触部に接触するので、低背化を図りながらも信頼性の向上を図ることが可能となる。
【図面の簡単な説明】
【００１１】
【図１】この発明の実施の形態１に係る同軸コネクタに用いられるレセプタクルを示す斜視図である。
【図２】実施の形態１に係る同軸コネクタに用いられるレセプタクルを示し、（Ａ）は平面図、（Ｂ）は側面図、（Ｃ）は正面図である。
【図３】図２（Ａ）のＡ−Ａ線断面図である。
【図４】実施の形態１に係る同軸コネクタに用いられるプラグを示す斜視図である。
【図５】実施の形態１に係る同軸コネクタに用いられるプラグを示し、（Ａ）は平面図、（Ｂ）は側面図、（Ｃ）は底面図、（Ｄ）は正面図である。
【図６】実施の形態１に係る同軸コネクタの構成を示す断面図である。
【図７】実施の形態１におけるレセプタクル外部コンタクト接触部の製造方法を工程順に示す図である。
【図８】実施の形態２に係る同軸コネクタに用いられるレセプタクル部材を示す斜視図である。
【図９】実施の形態２に係る同軸コネクタに用いられるレセプタクル部材を示し、（Ａ）は平面図、（Ｂ）は側面図、（Ｃ）は正面図である。
【図１０】従来の同軸コネクタの構成を示す断面図である。
【発明を実施するための形態】
【００１２】
以下、この発明の実施の形態を添付図面に基づいて説明する。
実施の形態１
図１および図２に、この発明の実施の形態１に係る同軸コネクタに用いられるレセプタクル１１の構成を示す。このレセプタクル１１は、レセプタクル外部コンタクト１２と、レセプタクルインシュレータ１３を介してレセプタクル外部コンタクト１２に一体に形成されたレセプタクル中心コンタクト１４を有している。
【００１３】
レセプタクル外部コンタクト１２は、概ね環状の全体形状を有し、その内部に後述するプラグと嵌合するための嵌合孔１５が形成されており、レセプタクル外部コンタクト１２の内周面１６が嵌合孔１５内に露出している。この嵌合孔１５の中心軸が、レセプタクル１１とプラグとの嵌合軸Ｃとなる。また、レセプタクル外部コンタクト１２の両側部は、一体化されたレセプタクルインシュレータ１３を抱え込むようにそれぞれレセプタクル１１の裏面側へ折り返されている。
【００１４】
レセプタクル中心コンタクト１４は、段差状に屈曲した細板形状を有し、一端部がレセプタクル１１の裏面側においてレセプタクル１１の正面に突出している。このレセプタクル中心コンタクト１４の他端部は、嵌合孔１５の内部においてレセプタクル１１の表面近傍にまで導かれ、レセプタクル中心コンタクト接触部１７として、レセプタクル１１とプラグとの嵌合軸Ｃとなる嵌合孔１５の中心軸に対して垂直方向に平面状に露出している。
【００１５】
図３に示されるように、レセプタクルインシュレータ１３は、環状のレセプタクル外部コンタクト１２の外周部を覆うと共に、レセプタクル外部コンタクト１２の内周面１６に接触することなくレセプタクル１１の裏面側から嵌合孔１５の内部に突出形成されており、このレセプタクルインシュレータ１３によってレセプタクル中心コンタクト１４が保持されている。
また、レセプタクル外部コンタクト１２の内周面１６には、環状のレセプタクル外部コンタクト接触部１８が形成されている。このレセプタクル外部コンタクト接触部１８は、レセプタクル外部コンタクト１２の内周面１６に凹状に形成されており、嵌合孔１５の内部に嵌合されたプラグの外部コンタクトに接触し且つ係止するためのものである。
【００１６】
図４および図５に、実施の形態１に係る同軸コネクタに用いられるプラグ２１の構成を示す。プラグ２１は、プラグ外部コンタクト２２と、プラグインシュレータ２３を介してプラグ外部コンタクト２２に一体に形成されたプラグ中心コンタクト２４を有している。
【００１７】
プラグ外部コンタクト２２には、レセプタクル１１との嵌合軸Ｃを中心とした円弧状のプラグ外部コンタクト接触部２５が形成されている。このプラグ外部コンタクト接触部２５は、プラグ２１がレセプタクル１１に嵌合されたときに、レセプタクル１１の嵌合孔１５の内部において環状のレセプタクル外部コンタクト接触部１８に接触するものであり、凹状のレセプタクル外部コンタクト接触部１８に係止されるように外方に向かって凸状に突出した断面形状を有している。
プラグ外部コンタクト２２は、レセプタクル１１との嵌合軸Ｃから嵌合軸Ｃと直交する方向に伸張した伸張部２６を有し、この伸張部２６の先端近傍に同軸ケーブルの外部導体に接続されるケーブル接続部２７が形成されている。
【００１８】
図５（Ｃ）に示されるように、プラグ中心コンタクト２４は、プラグ外部コンタクト２２の伸張部２６の中間部においてプラグインシュレータ２３を介してプラグ外部コンタクト２２に固定され、ここからプラグ外部コンタクト２２の伸張部２６とほぼ平行にレセプタクル１１との嵌合軸Ｃ付近にまで伸張した、いわゆる片持ち梁形状を有している。プラグ中心コンタクト２４には、レセプタクル１１との嵌合軸Ｃ付近に位置する片持ち梁の自由端にプラグ中心コンタクト接触部２８が形成されている。このプラグ中心コンタクト接触部２８は、プラグ２１とレセプタクル１１との嵌合時にレセプタクル外部コンタクト接触部１８に接触して電気的接続を行うものである。
【００１９】
このように、プラグ中心コンタクト２４がプラグ外部コンタクト２２の伸張部２６とほぼ平行に延びる片持ち梁形状を有しているので、十分なバネ長が確保され、プラグ２１とレセプタクル１１との嵌合時にプラグ中心コンタクト接触部２８とレセプタクル外部コンタクト接触部１８との間で信頼性の高い接続を行うに十分なバネ特性がプラグ中心コンタクト２４に具備されている。
【００２０】
なお、図５（Ｃ）に示されるように、プラグ外部コンタクト接触部２５は、プラグ中心コンタクト２４が伸張する方向を除いた円弧形状に形成されている。すなわち、プラグ中心コンタクト接触部２８は円弧状のプラグ外部コンタクト接触部２５の内側に位置しているが、プラグ中心コンタクト２４は、プラグ外部コンタクト接触部２５が存在しない部分を通って伸張している。
また、プラグ中心コンタクト２４には、プラグ外部コンタクト２２への固定部の近傍に同軸ケーブルの中心導体に接続されるケーブル接続部２９が形成されている。
【００２１】
プラグインシュレータ２３は、プラグ外部コンタクト２２の伸張部２６の中間部においてプラグ中心コンタクト２４をプラグ外部コンタクト２２に固定すると共に、プラグ外部コンタクト２２の伸張部２６に沿ってこの伸張部２６の裏面上に配置されることにより、プラグ外部コンタクト２２とプラグ中心コンタクト２４との電気的短絡を防止している。
【００２２】
次に、実施の形態１に係る同軸コネクタの作用について説明する。
図６に示されるように、予め、プラグ２１のプラグ外部コンタクト２２のケーブル接続部２７に同軸ケーブル３１の外部導体が接続されると共にプラグ中心コンタクト２４のケーブル接続部２９に同軸ケーブル３１の中心導体が接続されているものとする。また、レセプタクル１１は、図示しない電子機器の回路基板上に実装されているものとする。
【００２３】
プラグ２１のプラグ外部コンタクト２２のプラグ外部コンタクト接触部２５を嵌合軸Ｃに沿ってレセプタクル１１の嵌合孔１５内に押圧し嵌合させると、外方に向かって凸状に突出した円弧状のプラグ外部コンタクト接触部２５が凹状のレセプタクル外部コンタクト接触部１８に接触し、これらプラグ外部コンタクト接触部２５とレセプタクル外部コンタクト接触部１８とが互いに電気的に接続されると共に、プラグ外部コンタクト接触部２５がレセプタクル外部コンタクト接触部１８に係止される。
【００２４】
このようにして、プラグ外部コンタクト接触部２５がレセプタクル外部コンタクト接触部１８に係止されると、プラグ中心コンタクト２４のプラグ中心コンタクト接触部２８は、レセプタクル１１の嵌合孔１５の内部で嵌合軸Ｃに対して垂直方向に平面状に露出しているレセプタクル中心コンタクト接触部１７に接触する。このとき、片持ち梁形状のプラグ中心コンタクト２４には、十分に確保されたバネ長に起因して所定のバネ特性が具備されているため、プラグ中心コンタクト接触部２８とレセプタクル中心コンタクト接触部１７との間で信頼性の高い電気的接続が行われる。
【００２５】
これにより、同軸ケーブル３１の外部導体が、プラグ外部コンタクト２２、プラグ外部コンタクト接触部２５およびレセプタクル外部コンタクト接触部１８を順次介してレセプタクル外部コンタクト１２に電気的に接続され、同軸ケーブル３１の中心導体が、プラグ中心コンタクト２４、プラグ中心コンタクト接触部２８およびレセプタクル中心コンタクト接触部１７を順次介してレセプタクル中心コンタクト１４に電気的に接続される。
【００２６】
ここで、プラグ中心コンタクト２４は、嵌合軸Ｃに対して垂直方向に伸張する片持ち梁形状を有しているので、嵌合軸Ｃ方向の高さに関わらずに十分なバネ長を確保することができ、また、レセプタクル中心コンタクト接触部１７が嵌合軸Ｃに対して垂直方向に平面状に露出しているため、信頼性の高い電気的接続を可能としながらも、同軸コネクタの低背化を図ることができる。
特に、レセプタクル１１とプラグ２１の嵌合時には、図６に示されるように、プラグ中心コンタクト２４は、嵌合軸Ｃに対して垂直方向に伸張するほぼ平板形状を有し、プラグ中心コンタクト２４の先端部に形成されたプラグ中心コンタクト接触部２８とレセプタクル中心コンタクト接触部１７との接触面は、プラグ中心コンタクト２４の伸張部分とほぼ同一面と言えるほど、プラグ中心コンタクト２４の伸張部分に近い高さに形成される。このため、同軸コネクタの低背化がさらに促進されている。
【００２７】
また、レセプタクル外部コンタクト接触部１８が嵌合孔１５の内周面に形成され、レセプタクル中心コンタクト接触部１７が嵌合孔１５の内部に配置されているため、これらレセプタクル外部コンタクト接触部１８およびレセプタクル中心コンタクト接触部１７に異物等が付着しにくく、不測の外力が加わるおそれも少なく、同軸コネクタとしての信頼性が向上する。
さらに、環状のレセプタクル外部コンタクト１２の外周部がレセプタクルインシュレータ１３で覆われているため、レセプタクル外部コンタクト１２の変位がレセプタクルインシュレータ１３によって抑制され、嵌合長が短くても、また、嵌合／取り外しを多数回行っても、嵌合部が緩んで不安定になるおそれが少なく、信頼性の高い同軸コネクタが実現される。
【００２８】
なお、レセプタクル１１は、レセプタクル外部コンタクト１２とレセプタクルインシュレータ１３とレセプタクル中心コンタクト１４を射出成型法等により一体成型することができる。これにより、レセプタクル外部コンタクト１２およびレセプタクル中心コンタクト１４とレセプタクルインシュレータ１３との密着性が高まり、レセプタクル１１の強度が向上する。
同様に、プラグ２１は、プラグ外部コンタクト２２とプラグインシュレータ２３とプラグ中心コンタクト２４を射出成型法等により一体成型することができる。これにより、プラグ外部コンタクト２２およびプラグ中心コンタクト２４とプラグインシュレータ２３との密着性が高まり、プラグ２１の強度が向上する。
【００２９】
また、レセプタクル外部コンタクト１２の環状のレセプタクル外部コンタクト接触部１８は、曲げ加工により形成することもできるが、板厚のつぶし加工を利用することで、より容易に製造することができる。例えば、図７に示されるように、レセプタクル外部コンタクト１２の形成材料となる平板状の金属板３２に板厚のつぶし加工により環状の凹部３３を形成し、その後、バーリング加工を施して環状の凹部３３の中心に開口部３４を形成すると同時に開口部３４の周辺に立ち上がり部３５を形成する。このとき、環状の凹部３３が内周部に位置するように、立ち上がり部３５が形成される。このようにして形成された立ち上がり部３５の凹部３３がレセプタクル外部コンタクト接触部１８となり、開口部３４が嵌合孔１５となる。
【００３０】
実施の形態２
図８および図９に、実施の形態２に係る同軸コネクタに用いられるレセプタクル部材４１の構成を示す。このレセプタクル部材４１は、図１および図２に示した実施の形態１におけるレセプタクル１１と同様の構成を有する第１のレセプタクル４２および第２のレセプタクル４３を互いに隣接させて一体に形成したものである。
レセプタクル部材４１は、レセプタクル外部コンタクト４４と、レセプタクルインシュレータ４５を介してレセプタクル外部コンタクト４４に一体に形成された２つのレセプタクル中心コンタクト４６および４７を有している。
【００３１】
レセプタクル外部コンタクト４４とレセプタクルインシュレータ４５とレセプタクル中心コンタクト４６により第１のレセプタクル４２が、レセプタクル外部コンタクト４４とレセプタクルインシュレータ４５とレセプタクル中心コンタクト４７により第２のレセプタクル４３が、それぞれ構成されている。すなわち、第１のレセプタクル４２および第２のレセプタクル４３は、レセプタクル外部コンタクト４４とレセプタクルインシュレータ４５を互いに共通して用いると共に、それぞれ専用のレセプタクル中心コンタクト４６および４７を有している。
【００３２】
このようにレセプタクル外部コンタクト４４とレセプタクルインシュレータ４５を互いに共通して用いる点を除いて、第１のレセプタクル４２および第２のレセプタクル４３の内部構造は、実施の形態１におけるレセプタクル１１と同様である。
第１のレセプタクル４２は、嵌合孔４８と、嵌合孔４８の内周面に形成された環状のレセプタクル外部コンタクト接触部４９と、嵌合孔４８の内部において嵌合軸Ｃ１に対して垂直方向に平面状に露出するレセプタクル中心コンタクト接触部５０を備えている。
同様に、第２のレセプタクル４３は、嵌合孔５１と、嵌合孔５１の内周面に形成された環状のレセプタクル外部コンタクト接触部５２と、嵌合孔５１の内部において嵌合軸Ｃ２に対して垂直方向に平面状に露出するレセプタクル中心コンタクト接触部５３を備えている。
【００３３】
このレセプタクル部材４１は、レセプタクル外部コンタクト４４とレセプタクルインシュレータ４５と２つのレセプタクル中心コンタクト４６および４７を射出成型法等により一体成型することができ、これにより、レセプタクル外部コンタクト４４およびレセプタクル中心コンタクト４６，４７とレセプタクルインシュレータ４５との密着性が高まり、レセプタクル部材４１の強度が向上する。
【００３４】
そして、これら第１のレセプタクル４２および第２のレセプタクル４３に、図４および図５に示したようなプラグ２１がそれぞれ嵌合される。すなわち、嵌合軸Ｃ１に沿ってプラグ２１が第１のレセプタクル４２に嵌合されると共に、嵌合軸Ｃ２に沿ってプラグ２１が第２のレセプタクル４３に嵌合される。
これにより、２芯構造の同軸コネクタが実現される。
【００３５】
ここで、第１のレセプタクル４２における環状のレセプタクル外部コンタクト接触部４９の外周部および第２のレセプタクル４３における環状のレセプタクル外部コンタクト接触部５２の外周部はそれぞれレセプタクルインシュレータ４５により覆われており、第１のレセプタクル４２の嵌合孔４８と第２のレセプタクル４３の嵌合孔５１の内部にそれぞれプラグ２１が嵌合されるため、第１のレセプタクル４２と第２のレセプタクル４３の配置の自由度が高く、用途に応じた自由な設計が可能となる。
同様にして、３芯以上の多芯構造の同軸コネクタを構成することもできる。
【００３６】
この発明によれば、図６のように、レセプタクルにプラグを嵌合させた状態で、嵌合軸Ｃに沿ったレセプタクルの下面からプラグの上面までの高さを１ｍｍ程度にまで低背化した同軸コネクタを実現することができる。
このため、この発明に係る同軸コネクタは、薄型化が要求される電子機器、例えば、携帯電話等に適用されることで、大きな効果を奏するものである。さらに、同軸型のコネクタであるので、携帯電話等において、高画質画像の画像信号の伝送、広帯域の送受信信号の伝送等に特に適している。
【符号の説明】
【００３７】
１  レセプタクル、２  レセプタクル中心コンタクト、３  プラグ、４  プラグ中心コンタクト、５  プラグ外部コンタクト、６  レセプタクル外部コンタクト、１１  レセプタクル、１２  レセプタクル外部コンタクト、１３  レセプタクルインシュレータ、１４  レセプタクル中心コンタクト、１５  嵌合孔、１６  内周面、１７  レセプタクル中心コンタクト接触部、１８  レセプタクル外部コンタクト接触部、２１  プラグ、２２  プラグ外部コンタクト、２３  プラグインシュレータ、２４  プラグ中心コンタクト、２５  プラグ外部コンタクト接触部、２６  伸張部、２７，２９  ケーブル接続部、２８  プラグ中心コンタクト接触部、３１  同軸ケーブル、３２  金属板、３３  凹部、３４  開口部、３５  立ち上がり部、４１  レセプタクル部材、４２  第１のレセプタクル、４３  第２のレセプタクル、４４  レセプタクル外部コンタクト、４５  レセプタクルインシュレータ、４６，４７  レセプタクル中心コンタクト、４８，５１  嵌合孔、４９，５２  レセプタクル外部コンタクト接触部、５０，５３  レセプタクル中心コンタクト接触部、Ｃ，Ｃ１，Ｃ２  嵌合軸。
【図１】
0005209027.tif 000002
【図２】
0005209027.tif 000003
【図３】
0005209027.tif 000004
【図４】
0005209027.tif 000005
【図５】
0005209027.tif 000006
【図６】
0005209027.tif 000007
【図７】
0005209027.tif 000008
【図８】
0005209027.tif 000009
【図９】
0005209027.tif 000010
【図１０】
0005209027.tif 000011